【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
患者の血管系の処置のためのデバイスであって、
近位端、遠位端、および長手軸を有する自己拡張型弾力性透過シェルであって、該シェルは、
織物構造を有する複数の細長い弾力性フィラメントであって、自身の近位端および遠位端において相互に対して固定されるフィラメントと、
マイクロカテーテル内を送達するように構成される、半径方向に拘束された細長い状態であって、該薄い織物フィラメントが、該フィラメントの長さに沿って相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメント間に形成された該シェルの複数の開口部を含む、該近位端と遠位端との間の長手軸から半径方向に拡張される平滑経路の中に、該自己拡張型弾力性透過シェルを形成する該織物フィラメントを有し、該開口部のうちの最大のものは、血液が、血栓臨界速度を下回る速度で該開口部を通って流れることを可能にするように構成される、弛緩状態と
をさらに備える、シェルと、
該弾力性透過シェル内に配置されるフィラメント状部材の内部構造と
を備える、デバイス。
【請求項２】
前記弾力性透過シェルのフィラメントは、約０．００１インチ乃至約０．００４インチである横寸法または横径を備える、請求項１に記載のデバイス。
【請求項３】
前記内部構造のフィラメントは、約０．００１インチ未満である横寸法または横径を備える、請求項１に記載のデバイス。
【請求項４】
前記弾力性透過シェルは、第１の端部から第２の端部まで延在する約７０個乃至約３００個のフィラメントを備える、請求項１に記載のデバイス。
【請求項５】
前記内部構造は、第１の端部から前記第２の端部まで延在する約７０個乃至約３００個のフィラメントを備える、請求項１に記載のデバイス。
【請求項６】
弛緩した拡張状態にある前記弾力性透過シェルの主要横寸法は、約４ｍｍ乃至約３０ｍｍである、請求項１に記載のデバイス。
【請求項７】
前記内部構造の前記フィラメントは、封入容量を形成する織物構造を備える、請求項１に記載のデバイス。
【請求項８】
前記内部構造は、
マイクロカテーテル内を送達するように構成される、半径方向に拘束された細長い状態であって、該内部構造の前記薄い織物フィラメントが、該フィラメントの長さに沿って、相互に半径方向に隣接して近位端から遠位端まで長手方向に延在している、細長い状態と、
該半径方向に拘束された状態に対して、球状で長手方向に短縮された構成を有する拡張された弛緩状態であって、該織物フィラメントは、該織物フィラメント間に形成された前記シェルの複数の開口部を含む、該近位端と遠位端との間の前記長手軸から半径方向に拡張される平滑経路の中に自己拡張型弾力性透過シェルを形成する、弛緩状態と
を備える、請求項７に記載のデバイス。
【請求項９】
前記内部構造の近位端は、前記透過シェルの近位端に固定される、請求項７に記載のデバイス。
【請求項１０】
前記透過シェルの前記フィラメントは、少なくとも２つの異なる横寸法を有する、請求項１に記載のデバイス。
【請求項１１】
前記内部構造の前記フィラメントは、少なくとも２つの異なる横径を備える、請求項１に記載のデバイス。
【請求項１２】
患者の血管系の処置のためのデバイスであって、該デバイスは、
近位端、遠位端、および長手軸を有する自己拡張型弾力性透過シェルであって、該透過シェルは、
複数の細長い弾力性フィラメントであって、その近位端および遠位端において相互に対して固定される織物構造を有する、フィラメントと、
マイクロカテーテル内を送達するように構成される、半径方向に拘束された細長い状態であって、薄い織物フィラメントは、該フィラメントの長さに沿って、相互に半径方向に隣接して該近位端から該遠位端まで長手方向に延在する、細長い状態と、
該半径方向に拘束された状態に対して、球状で長手方向に短縮された構成を有し、主要横径を有する拡張された弛緩状態であって、該織物フィラメントは、該位端と遠位端との間の長手軸から半径方向に拡張された平滑経路の中に該自己拡張型弾力性透過シェルを形成し、該織物フィラメント間に形成された該シェルの複数の開口部を含む、弛緩状態と
をさらに備え、
拡張状態にある該透過シェルの直径と、全てのフィラメントの数と、小型フィラメントの直径とは、拡張状態にある該透過シェルの平均開口部サイズが、式（１．７／ＮＴ）（πＤ−ＮＴ／２×ｄＷ）によって定義される該平均開口部サイズによって約０．０１６インチ未満となるように構成され、式中、Ｄは、インチ単位の該拡張状態にある該透過シェルの直径であり、ＮＴは、該透過シェルの中の該フィラメントの総数であり、ｄＷは、インチ単位の最小フィラメントの直径である、シェルと
該弾力性透過シェル内に配置されるフィラメント状部材の内部構造と
を備える、デバイス。
【請求項１３】
前記内部構造の前記フィラメントは、封入容量を形成する織物構造を備える、請求項１２に記載のデバイス。
【請求項１４】
前記内部構造は、
前記フィラメントの長さに沿って、相互に半径方向に隣接して近位端から遠位端まで長手方向に延在する、前記内部構造の前記薄い織物フィラメントとともに、マイクロカテーテル内での送達用に構成される、半径方向に拘束された細長い状態と、
該織物フィラメント間に形成された前記シェルの複数の開口部を含む、前記近位端と遠位端との間の長手軸から半径方向に拡張される平滑経路の中に自己拡張型弾力性透過シェルを形成する織物フィラメントを有する、該半径方向に拘束された状態に対して、球状であり長手方向に短縮された構成を有する拡張された弛緩状態と
を備える、請求項１２に記載のデバイス。
【請求項１５】
前記内部構造の近位端は、前記透過シェルの近位端に固定される、請求項１３に記載のデバイス。
【請求項１６】
前記透過シェルの前記フィラメントは、少なくとも２つの異なる横寸法を備える、請求項１２に記載のデバイス。
【請求項１７】
患者の血管系の処置のためのデバイスであって、該デバイスは、
近位端、遠位端、および長手軸を有する自己拡張型弾力性透過シェルであって、該シェルは、
複数の細長い弾力性フィラメントであって、該フィラメントは、その近位端および遠位端において相互に対して固定される織物構造を有する、フィラメントと、
マイクロカテーテル内を送達するように構成される、半径方向に拘束された細長い状態であって、該織物構造フィラメントは、該フィラメントの長さに沿って、相互に半径方向に隣接して該近位端から該遠位端まで長手方向に延在する、細長状態と、
該半径方向に拘束された状態に対して、球状で長手方向に短縮された構成を有し、主要横径を有する拡張された弛緩状態であって、該織物フィラメントは、該近位端と遠位端との間の長手軸から半径方向に拡張される平滑経路の中に該自己拡張型弾力性透過シェルを形成し、該織物フィラメント間に形成された該シェルの複数の開口部を含む、弛緩状態と
をさらに備え、
拡張状態にある該透過シェルの直径と、大型フィラメントの数および直径と、小型フィラメントの数および直径とは、拘束状態にある該透過シェルが、式１．４８（（Ｎｌｄｌ２＋Ｎｓｄｓ２））１／２によって定義される約０．０４インチ未満の外側横径を有するように構成され、式中、Ｎｌは、該透過シェルの中の最大フィラメントの数であり、Ｎｓは、該透過シェルの中の最小フィラメントの数であり、ｄｌは、インチ単位の該最大フィラメントの直径であり、ｄｓは、インチ単位の該最小フィラメントの直径である、シェルと、
該弾力性透過シェル内に配置されるフィラメント状部材の内部構造と
を備える、デバイス。
【請求項１８】
前記内部構造の前記フィラメントは、封入容量を形成する織物構造を備える、請求項１７に記載のデバイス。
【請求項１９】
患者の血管系の処置のためのデバイスであって、該デバイスは、
近位端、遠位端、および長手軸を有する自己拡張型弾力性透過シェルであって、該シェルは、
複数の細長い弾力性フィラメントであって、自身の近位端および遠位端において相互に対して固定される織物構造を有する、フィラメントと、
マイクロカテーテル内を送達するように構成される、半径方向に拘束された細長い状態であって、該織物フィラメントは、該フィラメントの長さに沿って、相互に半径方向に隣接して該近位端から該遠位端まで長手方向に延在する、細長い状態と、
主要横径を有する拡張された弛緩状態であって、該半径方向に拘束された状態に対して、球状で長手方向に短縮された構成を有し、該織物フィラメントは、該近位端と遠位端との間の長手軸から半径方向に拡張される平滑経路の中に該自己拡張型弾力性透過シェルを形成し、該織物フィラメント間に形成された該シェルの複数の開口部を含む、弛緩状態と
を備える、シェルと、
該弾力性透過シェル内に配置されるフィラメント状部材の内部構造と
を備え、
拡張状態にある該透過シェルの直径と、大型フィラメントの数および直径と、小型フィラメントの数および直径とは、拡張状態にある該透過シェルが、式（１．２×１０６ｌｂｆ／Ｄ４）（Ｎｌｄｌ４＋Ｎｓｄｓ４）によって定義される約０．０１４ｌｂｆ乃至約０．２８４ｌｂｆの半径方向剛性を有するように構成され、式中、Ｄは、インチ単位の該拡張状態にある該透過シェルの直径であり、Ｎｌは、該透過シェルの中の大型フィラメントの数であり、Ｎｓは、該透過シェルの中の小型フィラメントの数であり、ｄｌは、インチ単位の最大フィラメントの直径であり、ｄｓは、インチ単位の最小フィラメントの直径である、デバイス。
【請求項２０】
前記内部構造の前記フィラメントは、封入容量を形成する織物構造を備える、請求項１９に記載のデバイス。
【請求項２１】
前記内部構造は、
マイクロカテーテル内を送達するように構成される、半径方向に拘束された細長い状態であって、該内部構造の前記薄い織物フィラメントは、該フィラメントの長さに沿って、相互に半径方向に隣接して近位端から遠位端まで長手方向に延在する、細長い状態と、
球状で長手方向に短縮された構成を有する、該半径方向に拘束された状態に対して拡張された弛緩状態であって、該織物フィラメントは、該近位端と遠位端との間の長手軸から半径方向に拡張される平滑経路の中に自己拡張型弾力性透過シェルを形成し、該織物フィラメント間に形成された該シェルの複数の開口部を含む、弛緩状態と
を備える、請求項２０に記載のデバイス。
【請求項２２】
前記内部構造の前記近位端は、前記透過シェルの近位端に固定される、請求項２０に記載のデバイス。
【請求項２３】
前記透過シェルの前記フィラメントは、少なくとも２つの異なる横寸法を備える、請求項１９に記載のデバイス。
【請求項２４】
患者の血管系の処置のためのデバイスであって、該デバイスは、
近位端、遠位端、および長手軸を有する自己拡張型弾力性透過構造を備え、該自己拡張型弾力性透過構造は、マイクロカテーテル内を送達するように構成される半径方向に拘束された細長い状態と、拡張された弛緩構造であって、該半径方向に拘束された状態に対して、球状で長手方向に短縮された構成を有する、拡張された、および該近位端と遠位端との間の長手軸から延在する、弛緩状態とを備え、該透過構造は、
該構造の近位端および遠位端の一方または両方において相互に対して固定される複数の細長い弾力性フィラメントを備え、該複数の細長い弾力性フィラメントは、
近位端および遠位端を有し、空洞を画定する弾力性自己拡張型透過シェルと、
該シェル空洞内に配置可能な少なくとも１つの内部構造であって、該少なくとも１つの内部構造を形成する該弾力性フィラメントは、該透過構造の近位端に配置されるハブで終端する、内部構造と
を形成する、デバイス。
【請求項２５】
自身の半径方向に拘束された状態にある前記内部構造の長さは、自身の半径方向に拘束された状態にある前記透過シェルの長さの約４０％乃至約９０％である、請求項２４に記載のデバイス。
【請求項２６】
前記シェルは、概して、切頂球体またはハート状垂直断面形状を有する、請求項２４に記載のデバイス。
【請求項２７】
前記少なくとも１つの内部構造の容量の少なくとも約８０％は、前記シェルの近位半分内に含有される、請求項２４に記載のデバイス。
【請求項２８】
患者の血管系の処置のためのデバイスであって、該デバイスは、
近位端、遠位端、および長手軸を有する自己拡張型弾力性透過シェルであって、該シェルは、
複数の細長い弾力性フィラメントであって、該フィラメントは、自身の近位端および遠位端において相互に対して固定される織物構造を有する、フィラメントと、
マイクロカテーテル内を送達するように構成される、半径方向に拘束された細長い状態であって、該薄い織物フィラメントが、該フィラメントの長さに沿って、相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメントが、該織物フィラメント間に形成された該シェルの複数の開口部を含む、該近位端と遠位端との間の長手軸から半径方向に拡張される平滑経路の中に該自己拡張型弾力性透過シェルを形成する、弛緩状態と
をさらに備える、シェルと、
該弾力性透過シェルの内部容量内に配置される、フィラメント状部材の内部構造であって、
織物構造を有する複数の細長い弾力性フィラメントであって、該フィラメントは、自身の遠位端において相互に対して固定され、自身の近位端において相互におよび該透過シェルの該フィラメントの近位端に固定される、フィラメントと、
半径方向に拘束された細長い状態であって、該細長い状態は、自身の半径方向に拘束された状態にある該透過シェルよりも短く、マイクロカテーテル内を送達するように構成され、該薄い織物フィラメントが、該フィラメントの長さに沿って、相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメントが、該織物フィラメント間に形成された該シェルの複数の開口部を含む、該近位端と遠位端との間の長手軸から半径方向に拡張される平滑経路の中に該自己拡張型弾力性透過シェルを形成する、弛緩状態と
を備える、内部構造と
を備える、デバイス。
【請求項２９】
前記透過シェルの前記開口部のうちの最大のものは、血栓臨界速度を下回る速度で、該開口部を通る血流を可能にするように構成される、請求項２８に記載のデバイス。
【請求項３０】
自身の半径方向に拘束された状態にある前記内部構造の長さは、自身の半径方向に拘束された状態にある前記透過シェルの長さの約９０％未満である、請求項２８に記載のデバイス。
【請求項３１】
自身の半径方向に拘束された状態にある前記内部構造の前記長さは、自身の半径方向に拘束された状態にある前記透過シェルの前記長さの約４０％乃至約９０％である、請求項３０に記載のデバイス。
【請求項３２】
前記弾力性透過シェルのフィラメントは、約０．００１インチ乃至約０．００４インチである横寸法または横径を備える、請求項２８に記載のデバイス。
【請求項３３】
前記内部構造のフィラメントは、約０．００１インチ未満である横寸法または横径を備える、請求項２８に記載のデバイス。
【請求項３４】
前記弾力性透過シェルのフィラメントは、約０．０００４インチ乃至約０．００１インチである横寸法または横径を備える、請求項２８に記載のデバイス。
【請求項３５】
前記弾力性透過シェルは、第１の端部から第２の端部まで延在する約７０個乃至約３００個のフィラメントを備える、請求項２８に記載のデバイス。
【請求項３６】
前記内部構造は、第１の端部から前記第２の端部まで延在する約７０個乃至約３００個のフィラメントを備える、請求項２８に記載のデバイス。
【請求項３７】
弛緩した拡張状態にある前記弾力性透過シェルの主要横寸法は、約４ｍｍ乃至約３０ｍｍである、請求項２８に記載のデバイス。
【請求項３８】
前記内部構造の前記フィラメントは、封入容量を形成する織物構造を備える、請求項２８に記載のデバイス。
【請求項３９】
前記透過シェルの前記フィラメントは、少なくとも２つの異なる横寸法を有する、請求項２８に記載のデバイス。
【手続補正２】
【補正対象書類名】明細書
【補正対象項目名】００１１
【補正方法】変更
【補正の内容】
【００１１】
本発明は、例えば、以下を提供する：
（項目１）
患者の血管系の処置のためのデバイスであって、
近位端、遠位端、および長手軸を有する自己拡張型弾力性透過シェルであって、該シェルは、
織物構造を有する複数の細長い弾力性フィラメントであって、自身の近位端および遠位端において相互に対して固定されるフィラメントと、
マイクロカテーテル内を送達するように構成される、半径方向に拘束された細長い状態であって、該薄い織物フィラメントが、該フィラメントの長さに沿って相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメント間に形成された該シェルの複数の開口部を含む、該近位端と遠位端との間の長手軸から半径方向に拡張される平滑経路の中に、該自己拡張型弾力性透過シェルを形成する該織物フィラメントを有し、該開口部のうちの最大のものは、血液が、血栓臨界速度を下回る速度で該開口部を通って流れることを可能にするように構成される、弛緩状態と
をさらに備える、シェルと、
該弾力性透過シェル内に配置されるフィラメント状部材の内部構造と
を備える、デバイス。
（項目２）
前記弾力性透過シェルのフィラメントは、約０．００１インチ乃至約０．００４インチである横寸法または横径を備える、項目１に記載のデバイス。
（項目３）
前記内部構造のフィラメントは、約０．００１インチ未満である横寸法または横径を備える、項目１に記載のデバイス。
（項目４）
前記弾力性透過シェルは、第１の端部から第２の端部まで延在する約７０個乃至約３００個のフィラメントを備える、項目１に記載のデバイス。
（項目５）
前記内部構造は、第１の端部から前記第２の端部まで延在する約７０個乃至約３００個のフィラメントを備える、項目１に記載のデバイス。
（項目６）
弛緩した拡張状態にある前記弾力性透過シェルの主要横寸法は、約４ｍｍ乃至約３０ｍｍである、項目１に記載のデバイス。
（項目７）
前記内部構造の前記フィラメントは、封入容量を形成する織物構造を備える、項目１に記載のデバイス。
（項目８）
前記内部構造は、
マイクロカテーテル内を送達するように構成される、半径方向に拘束された細長い状態であって、該内部構造の前記薄い織物フィラメントを有し、該薄い織物フィラメントが、該フィラメントの長さに沿って、相互に半径方向に隣接して近位端から遠位端まで長手方向に延在している、細長い状態と、
該半径方向に拘束された状態に対して、球状で長手方向に短縮された構成を有する拡張された弛緩状態であって、該織物フィラメントを有し、該織物フィラメントは、該織物フィラメント間に形成された前記シェルの複数の開口部を含む、該近位端と遠位端との間の前記長手軸から半径方向に拡張される平滑経路の中に自己拡張型弾力性透過シェルを形成する、弛緩状態と
を備える、項目７に記載のデバイス。
（項目９）
前記内部構造の近位端は、前記透過シェルの近位端に固定される、項目７に記載のデバイス。
（項目１０）
前記透過シェルの前記フィラメントは、少なくとも２つの異なる横寸法を有する、項目１に記載のデバイス。
（項目１１）
前記内部構造の前記フィラメントは、少なくとも２つの異なる横径を備える、項目１に記載のデバイス。
（項目１２）
患者の血管系の処置のためのデバイスであって、該デバイスは、
近位端、遠位端、および長手軸を有する自己拡張型弾力性透過シェルであって、該透過シェルは、
複数の細長い弾力性フィラメントであって、織物構造を有し、該織物構造は、その近位端および遠位端において相互に対して固定される、フィラメントと、
マイクロカテーテル内を送達するように構成される、半径方向に拘束された細長い状態であって、該薄い織物フィラメントを有し、該フィラメントは、該フィラメントの長さに沿って、相互に半径方向に隣接して該近位端から該遠位端まで長手方向に延在する、細長い状態と、
主要横径を有する該半径方向に拘束された状態に対して、球状で長手方向に短縮された構成を有する拡張された弛緩状態であって、該織物フィラメントを有し、該織物フィラメントは、該位端と遠位端との間の長手軸から半径方向に拡張された平滑経路の中に該自己拡張型弾力性透過シェルを形成し、該織物フィラメント間に形成された該シェルの複数の開口部を含む、弛緩状態と
をさらに備え、
拡張状態にある該透過シェルの直径と、全てのフィラメントの数と、小型フィラメントの直径とは、拡張状態にある該透過シェルの平均開口部サイズが、式（１．７／ＮＴ）（πＤ−ＮＴ／２×ｄＷ）によって定義される該平均開口部サイズによって約０．０１６インチ未満となるように構成され、式中、Ｄは、インチ単位の該拡張状態にある該透過シェルの直径であり、ＮＴは、該透過シェルの中の該フィラメントの総数であり、ｄＷは、インチ単位の最小フィラメントの直径である、シェルと
該弾力性透過シェル内に配置されるフィラメント状部材の内部構造と
を備える、デバイス。
（項目１３）
前記内部構造の前記フィラメントは、封入容量を形成する織物構造を備える、項目１２に記載のデバイス。
（項目１４）
前記内部構造は、
前記フィラメントの長さに沿って、相互に半径方向に隣接して近位端から遠位端まで長手方向に延在する、前記内部構造の前記薄い織物フィラメントとともに、マイクロカテーテル内での送達用に構成される、半径方向に拘束された細長い状態と、
該織物フィラメント間に形成された前記シェルの複数の開口部を含む、前記近位端と遠位端との間の長手軸から半径方向に拡張される平滑経路の中に自己拡張型弾力性透過シェルを形成する織物フィラメントを有する、該半径方向に拘束された状態に対して、球状であり長手方向に短縮された構成を有する拡張された弛緩状態と
を備える、項目１２に記載のデバイス。
（項目１５）
前記内部構造の近位端は、前記透過シェルの近位端に固定される、項目１３に記載のデバイス。
（項目１６）
前記透過シェルの前記フィラメントは、少なくとも２つの異なる横寸法を備える、項目１２に記載のデバイス。
（項目１７）
患者の血管系の処置のためのデバイスであって、該デバイスは、
近位端、遠位端、および長手軸を有する自己拡張型弾力性透過シェルであって、該シェルは、
複数の細長い弾力性フィラメントであって、該フィラメントは、その近位端および遠位端において相互に対して固定される織物構造を有する、フィラメントと、
マイクロカテーテル内を送達するように構成される、半径方向に拘束された細長い状態であって、該織物構造フィラメントを有し、該フィラメントは、該フィラメントの長さに沿って、相互に半径方向に隣接して該近位端から該遠位端まで長手方向に延在する、細長状態と、
主要横径を有する該半径方向に拘束された状態に対して、球状で長手方向に短縮された構成を有する拡張された弛緩状態であって、該織物フィラメントを有し、該フィラメントは、該近位端と遠位端との間の長手軸から半径方向に拡張される平滑経路の中に該自己拡張型弾力性透過シェルを形成し、該織物フィラメント間に形成された該シェルの複数の開口部を含む、弛緩状態と
をさらに備え、
拡張状態にある該透過シェルの直径と、大型フィラメントの数および直径と、小型フィラメントの数および直径とは、拘束状態にある該透過シェルが、式１．４８（（Ｎｌｄｌ２＋Ｎｓｄｓ２））１／２によって定義される約０．０４インチ未満の外側横径を有するように構成され、式中、Ｎｌは、該透過シェルの中の最大フィラメントの数であり、Ｎｓは、該透過シェルの中の最小フィラメントの数であり、ｄｌは、インチ単位の該最大フィラメントの直径であり、ｄｓは、インチ単位の該最小フィラメントの直径である、シェルと、
該弾力性透過シェル内に配置されるフィラメント状部材の内部構造と
を備える、デバイス。
（項目１８）
前記内部構造の前記フィラメントは、封入容量を形成する織物構造を備える、項目１７に記載のデバイス。
（項目１９）
患者の血管系の処置のためのデバイスであって、該デバイスは、
近位端、遠位端、および長手軸を有する自己拡張型弾力性透過シェルであって、該シェルは、
複数の細長い弾力性フィラメントであって、織物構造を有し、該織物構造は、自身の近位端および遠位端において相互に対して固定される、フィラメントと、
マイクロカテーテル内を送達するように構成される、半径方向に拘束された細長い状態であって、該織物構造を有し、該織物構造は、該フィラメントの長さに沿って、相互に半径方向に隣接して該近位端から該遠位端まで長手方向に延在する、細長い状態と、
拡張された弛緩状態であって、主要横径を有する該半径方向に拘束された状態に対して、球状で長手方向に短縮された構成を有する拡張された弛緩状態を有し、該織物フィラメントは、該近位端と遠位端との間の長手軸から半径方向に拡張される平滑経路の中に該自己拡張型弾力性透過シェルを形成し、該織物フィラメント間に形成された該シェルの複数の開口部を含む、弛緩状態と
を備える、シェルと、
該弾力性透過シェル内に配置されるフィラメント状部材の内部構造と
を備え、
拡張状態にある該透過シェルの直径と、大型フィラメントの数および直径と、小型フィラメントの数および直径とは、拡張状態にある該透過シェルが、式（１．２×１０６ｌｂｆ／Ｄ４）（Ｎｌｄｌ４＋Ｎｓｄｓ４）によって定義される約０．０１４ｌｂｆ乃至約０．２８４ｌｂｆの半径方向剛性を有するように構成され、式中、Ｄは、インチ単位の該拡張状態にある該透過シェルの直径であり、Ｎｌは、該透過シェルの中の大型フィラメントの数であり、Ｎｓは、該透過シェルの中の小型フィラメントの数であり、ｄｌは、インチ単位の最大フィラメントの直径であり、ｄｓは、インチ単位の最小フィラメントの直径である、デバイス。
（項目２０）
前記内部構造の前記フィラメントは、封入容量を形成する織物構造を備える、項目１９に記載のデバイス。
（項目２１）
前記内部構造は、
マイクロカテーテル内を送達するように構成される、半径方向に拘束された細長い状態であって、該内部構造の前記薄い織物フィラメントを有し、該フィラメントは、該フィラメントの長さに沿って、相互に半径方向に隣接して近位端から遠位端まで長手方向に延在する、細長い状態と、
球状で長手方向に短縮された構成を有する、該半径方向に拘束された状態に対して拡張された弛緩状態であって、該織物フィラメントを有し、該織物フィラメントは、該近位端と遠位端との間の長手軸から半径方向に拡張される平滑経路の中に自己拡張型弾力性透過シェルを形成し、該織物フィラメント間に形成された該シェルの複数の開口部を含む、弛緩状態と
を備える、項目２０に記載のデバイス。
（項目２２）
前記内部構造の前記近位端は、前記透過シェルの近位端に固定される、項目２０に記載のデバイス。
（項目２３）
前記透過シェルの前記フィラメントは、少なくとも２つの異なる横寸法を備える、項目１９に記載のデバイス。
（項目２４）
患者の血管系の処置のためのデバイスであって、該デバイスは、
近位端、遠位端、および長手軸を有する自己拡張型弾力性透過構造と、マイクロカテーテル内を送達するように構成される半径方向に拘束された細長い状態と、拡張された弛緩構造であって、該半径方向に拘束された状態に対して、球状で長手方向に短縮された構成を有する、拡張された、および該近位端と遠位端との間の長手軸から延在する、弛緩状態とを備え、該透過構造は、
該構造の近位端および遠位端の一方または両方において相互に対して固定される複数の細長い弾力性フィラメントと、
近位端および遠位端を有し、空洞を画定する弾力性自己拡張型透過シェルと、
該シェル空洞内に配置可能な少なくとも１つの内部構造であって、該少なくとも１つの内部構造を形成する該弾力性フィラメントは、該透過構造の近位端に配置されるハブで終端する、内部構造と
を備える、デバイス。
（項目２５）
自身の半径方向に拘束された状態にある前記内部構造の長さは、自身の半径方向に拘束された状態にある前記透過シェルの長さの約４０％乃至約９０％である、項目２４に記載のデバイス。
（項目２６）
前記シェルは、概して、切頂球体またはハート状垂直断面形状を有する、項目２４に記載のデバイス。
（項目２７）
前記少なくとも１つの内部構造の容量の少なくとも約８０％は、前記シェルの近位半分内に含有される、項目２４に記載のデバイス。
（項目２８）
患者の血管系の処置のためのデバイスであって、該デバイスは、
近位端、遠位端、および長手軸を有する自己拡張型弾力性透過シェルであって、該シェルは、
複数の細長い弾力性フィラメントであって、該フィラメントは、自身の近位端および遠位端において相互に対して固定される織物構造を有する、フィラメントと、
マイクロカテーテル内を送達するように構成される、半径方向に拘束された細長い状態であって、該薄い織物フィラメントが、該フィラメントの長さに沿って、相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメントが、該織物フィラメント間に形成された該シェルの複数の開口部を含む、該近位端と遠位端との間の長手軸から半径方向に拡張される平滑経路の中に該自己拡張型弾力性透過シェルを形成する、弛緩状態と
を備える、シェルと、
該弾力性透過シェルの内部容量内に配置される、フィラメント状部材の内部構造であって、
織物構造を有する複数の細長い弾力性フィラメントであって、該織物構造は、自身の遠位端において相互に対して固定され、自身の近位端において相互におよび該透過シェルの該フィラメントの近位端に固定される、フィラメントと、
半径方向に拘束された細長い状態であって、該細長い状態は、自身の半径方向に拘束された状態にある該透過シェルよりも短く、マイクロカテーテル内を送達するように構成され、該薄い織物フィラメントが、該フィラメントの長さに沿って、相互に半径方向に隣接して該近位端から該遠位端まで長手方向に延在している、細長い状態と、
該半径方向に拘束された状態に対して、球状で長手方向に短縮された構成を有する拡張された弛緩状態であって、該織物フィラメントが、該織物フィラメント間に形成された該シェルの複数の開口部を含む、該近位端と遠位端との間の長手軸から半径方向に拡張される平滑経路の中に該自己拡張型弾力性透過シェルを形成する、弛緩状態と
を備える、内部構造と
を備える、デバイス。
（項目２９）
前記透過シェルの前記開口部のうちの最大のものは、血栓臨界速度を下回る速度で、該開口部を通る血流を可能にするように構成される、項目２８に記載のデバイス。
（項目３０）
自身の半径方向に拘束された状態にある前記内部構造の長さは、自身の半径方向に拘束された状態にある前記透過シェルの長さの約９０％未満である、項目２８に記載のデバイス。
（項目３１）
自身の半径方向に拘束された状態にある前記内部構造の前記長さは、自身の半径方向に拘束された状態にある前記透過シェルの前記長さの約４０％乃至約９０％である、項目３０に記載のデバイス。
（項目３２）
前記弾力性透過シェルのフィラメントは、約０．００１インチ乃至約０．００４インチである横寸法を備える、項目２８に記載のデバイス。
（項目３３）
前記内部構造のフィラメントは、約０．００１インチ未満である横寸法または横径を備える、項目２８に記載のデバイス。
（項目３４）
前記弾力性透過シェルのフィラメントは、約０．０００４インチ乃至約０．００１インチである横寸法または横径を備える、項目２８に記載のデバイス。
（項目３５）
前記弾力性透過シェルは、第１の端部から第２の端部まで延在する約７０個乃至約３００個のフィラメントを備える、項目２８に記載のデバイス。
（項目３６）
前記内部構造は、第１の端部から前記第２の端部まで延在する約７０個乃至約３００個のフィラメントを備える、項目２８に記載のデバイス。
（項目３７）
弛緩した拡張状態にある前記弾力性透過シェルの主要横寸法は、約４ｍｍ乃至約３０ｍｍである、項目２８に記載のデバイス。
（項目３８）
前記内部構造の前記フィラメントは、封入容量を形成する織物構造を備える、項目２８に記載のデバイス。
（項目３９）
前記透過シェルの前記フィラメントは、少なくとも２つの異なる横寸法を有する、項目２８に記載のデバイス。
（項目４０）
患者を処置する方法であって、該方法は、
患者の血管系の処置のためのデバイスを提供することであって、該デバイスは、
近位端、遠位端、および長手軸を有する自己拡張型弾力性透過シェルであって、該シェルは、自身の近位端および遠位端において相互に対して固定される織物構造を有する複数の細長い弾力性フィラメントと、マイクロカテーテル内を送達するように構成される、半径方向に拘束された細長い状態と、該半径方向に拘束された状態に対して、球状で長手方向に短縮された構成を有する拡張された弛緩状態とをさらに含む、シェルと、
該弾力性透過シェルの内部容量内に配置されるフィラメント状部材の内部構造であって、該内部構造は、少なくとも自身の近位端において相互に対して固定される織物構造を有する複数の細長い弾力性フィラメントを含み、該フィラメントは、自身の半径方向に拘束された状態にある該透過シェルよりも短い、半径方向に拘束された細長い状態を有し、該半径方向に拘束された状態に対して、球状で長手方向に短縮された構成を有する拡張された弛緩状態を有する、内部構造と
を備える、ことと、
拘束された細長い状態で、患者の血管系内の処置部位まで該デバイスを前進させることと、
該患者の血管系内の処置部位における血管障害内に該デバイスを配備することであって、それにより、該透過シェルおよび内部構造は、該内部構造の遠位端と該透過シェルの遠位端における内面との間に内部間隙を有するそれぞれの拡張状態へと自己拡張する、ことと
を含む、方法。
（項目４１）
前記内部間隙は、拡張状態にある前記デバイスの長手方向高さの約５％乃至約４０％である、項目４０に記載の方法。
（項目４２）
前記内部構造フィラメントは、自身の前記遠位端で固定される、項目４０に記載の方法。
（項目４３）
前記内部構造のフィラメントは、実質的に封入される容量を形成する織物構造を備える、項目４０に記載の方法。
（項目４４）
患者を処置する方法であって、該方法は、
患者の血管系の処置のためのデバイスを提供することであって、該デバイスは、
近位端、遠位端、および長手軸を有する自己拡張型弾力性透過シェルであって、該シェルは、自身の近位端および遠位端において相互に対して固定される織物構造を有する複数の細長い弾力性フィラメントと、マイクロカテーテル内を送達するように構成される、半径方向に拘束された細長い状態と、該半径方向に拘束された状態に対して、球状で長手方向に短縮された構成を有する拡張された弛緩状態とをさらに含む、透過シェルと、
該弾力性透過シェルの内部容量の中に配置され、自身の端部において該透過シェルに固定されるフィラメント状部材の内部構造であって、該内部構造は、少なくとも自身の該近位端において相互に対して固定される織物構造を有する複数の細長い弾力性フィラメントを含み、該フィラメントは、自身の半径方向に拘束された状態にある該透過シェルよりも短い、半径方向に拘束された細長い状態を有し、該半径方向に拘束された状態に対して長手方向に短縮された構成を有する拡張された弛緩状態を有する、内部構造と
を備える、ことと、
拘束された細長い状態で、患者の血管系内の処置部位まで該デバイスを前進させることと、
該患者の血管系内の処置部位における血管障害内に該デバイスを配備することであって、それにより、該透過シェルおよび内部構造が、該透過シェル構造とは無関係に長手方向に短縮する該内部構造の自由非固定端によって、それぞれの拡張状態まで自己拡張する、ことと
を含む、方法。
（項目４５）
折り畳み状態にある前記デバイスの前記内部構造の長手方向長さは、折り畳み状態にある前記透過シェルの長手方向長さの約９０％未満である、項目４４に記載の方法。
（項目４６）
前記内部構造は、実質的に封入された容量を画定する球形を有する、項目４４に記載の方法。
（項目４７）
前記透過シェルまたは前記内部構造のうちの少なくとも１つの前記フィラメントは、少なくとも２つの異なる横寸法を備える、項目４４に記載のデバイス。
患者の血管系の処置のためのデバイスのいくつかの実施形態は、近位端、遠位端、および長手軸を有する自己拡張型弾力性透過シェルを含む。透過シェルはまた、その近位端および遠位端において相互に対して固定される織物構造を有する複数の細長い弾力性フィラメントを含む。透過シェルは、フィラメントの長さに沿って、相互に半径方向に隣接して近位端から遠位端まで長手方向に延在する薄い織物フィラメントとともに、マイクロカテーテル内を送達するように構成される、半径方向に拘束された細長い状態を有する。透過シェルはまた、織物フィラメント間に形成されたシェルの中に複数の開口部を含む、近位端と遠位端との間の長手軸から半径方向に拡張される平滑経路の中で、自己拡張型弾力性透過シェルを形成する織物フィラメントを有する、長手方向に短縮された構成を有する、半径方向に拘束された状態に対して拡張された弛緩状態を有し、該開口部のうちの最大のものは、血栓臨界速度を下回る速度で、開口部を通る血流を可能にするように構成される。  したがって、透過シェル内の血流は、血栓形成速度以下まで実質的に減速されてもよい。いくつかの実施形態に対して、透過シェルは、拡張された弛緩状態で球形を有してもよい。いくつかの実施形態では、シェルは、実質的に平坦な端または丸い端を有する略円筒形を有してもよい。これらの実施形態のうちのいくつかはまた、弾力性透過シェル内に配置されるフィラメント状部材の内部構造を含んでもよい。特に明記しない限り、種々の実施形態の特徴、寸法、または材料のうちの１つ以上は、本明細書で論議される他の同様の実施形態で使用されてもよい。